(57)【要約】【課題】従来のように、単に全体が断面楕円形状の棧部材を採用し、その長軸方向を空気の吹出方向に沿わせて配設しただけの場合、吹出方向への空気の流入角が変わると、棧部材先端部での剥離が生じ、安定した騒音抑制効果が得られない問題がある。【解決手段】本願発明は、このような問題を解決するために、空気の吹出方向に延びるファンガードグリル５の棧部材５ａ，５ｂの断面形状に関して、同断面形状内で最大寸法になる方向を基準軸Ｏ、同基準軸Ｏと直交する方向の寸法を幅としたときに、本体断面部に幅の広い部分と狭い部分とを形成し、幅の広い部分を上記基準軸Ｏの前後両端５１，５２に近い部分に設ける一方、幅の狭い部分を上記基準軸Ｏの中央部５３に設けることによって、空気の流入角の変化に拘わらず安定した騒音抑制効果を得ることができるようにした。【選択図】        図２
2007147169.tif 000002
【特許請求の範囲】
【請求項１】
ファン（４）からの空気流の吹出し方向に延びるファンガードグリル（５）の棧部材（５ａ），（５ｂ）の断面形状に関し、同断面形状内で最大寸法になる長さ方向を基準軸（Ｏ）、同基準軸（Ｏ）と直交する方向の寸法を幅としたとき、幅の広い部分と幅の狭い部分とを有し、幅の広い部分を基準軸（Ｏ）の前後両端（５１），（５２）に近い部分に設ける一方、幅の狭い部分を基準軸（Ｏ）の中央部（５３）に設けたことを特徴とする送風機のファンガードグリル。
【請求項２】
幅の広い部分は、断面楕円形状となっていることを特徴とする請求項１記載の送風機のファンガードグリル。
【請求項３】
前後両端（５１），（５２）側の幅の広い部分と中央部（５３）側の幅の狭い部分とは、全体として断面形状がピーナツ形であることを特徴とする請求項１又は２記載の送風機のファンガードグリル。
【請求項４】
合成樹脂製のものであって、二分割金型（１１），（１２）により一体成形されていることを特徴とする請求項１，２又は３記載の送風機のファンガードグリル。
【発明の詳細な説明】
【技術分野】
【０００１】
一般に空気調和機用室外機等の送風機部分においては、その空気吹出口側に、安全性および羽根車保護の見地から、同空気吹出口を覆うグリル構造のファンガードグリルが設けられている（例えば特許文献１参照）。
【０００２】
しかし、この特許文献１のファンガードグリルの棧部材の断面形状は円形であり、同形状では、羽根車から、吹き出される気流と棧部材との干渉音や剥離音が高くなり、室外機全体としての騒音レベルを増加させていた。
【０００３】
そこで、このような問題を解決するものとして、同棧部材の水平桟列の各断面形状を全体に楕円形として、その長軸方向が空気の吹き出し方向に沿うようにする一方、同楕円形状を空気吹き出し方向の上流側と下流側とで二分して、上流側の半楕円部を下流側の半楕円部よりも大きくするとともに、それら上流側の半楕円部と下流側の半楕円部との切り替わり部分を段部形状としたものがある（例えば特許文献２参照）。
【０００４】
このような構成によれば気流との干渉音を低減でき、グリル部からの剥離に伴う騒音を低減することができる。
【０００５】
また、ファンガードを合成樹脂で製作する場合、金型として前後２つの型に二分される。そこで、同部分で空気の吹き出し方向の上流側と下流側でグリル部の水平桟列を二分し、切り替わり部分を段部としているので、金型により水平桟を製作しやすい。また、上流側の半楕円部の方を大きくすると、製作のバラツキがあっても前記段部による異音を発生しにくい。
【０００６】
【特許文献１】実開平６−６７８９５号公報（明細書１−２頁、図１−３）
【特許文献２】特許第３３６３４６９号公報（明細書１−３頁、図１−４）
【発明の開示】
【発明が解決しようとする課題】
【０００７】
しかし、上記特許文献２のように、単に全体が断面楕円形状の棧部材を採用し、その長軸方向を空気の吹出方向に沿わせて配設しただけの場合、吹出方向への空気の流入角が変わると、棧部材先端部側での剥離が生じ、安定した騒音抑制効果が得られない問題がある。
【０００８】
本願発明は、このような問題を解決するためになされたもので、ファンガードグリルの棧部材の空気流通方向の断面形状に関して、同断面形状内で最大寸法になる長さ方向を基準軸Ｏ、同基準軸Ｏと直交する方向の寸法を幅としたときに、本体断面部に幅の広い部分と狭い部分とを形成し、幅の広い部分を上記基準軸Ｏの両端に近い部分に設ける一方、幅の狭い部分を上記基準軸Ｏの中央部に設けることによって、空気の流入角の変化に拘わらず安定した騒音抑制効果を得ることができる送風機のファンガードグリルを提供することを目的とするものである。
【課題を解決するための手段】
【０００９】
本願発明は、上記の目的を達成するために、次のような課題解決手段を備えて構成されている。
【００１０】
（１）  第１の課題解決手段
この発明の第１の課題解決手段は、ファン４からの空気流の吹出し方向に延びるファンガードグリル５の棧部材５ａ，５ｂの断面形状に関し、同断面形状内で最大寸法になる長さ方向を基準軸Ｏ、同基準軸Ｏと直交する方向の寸法を幅としたとき、幅の広い部分と幅の狭い部分とを有し、幅の広い部分を基準軸Ｏの前後両端５１，５２に近い部分に設ける一方、幅の狭い部分を基準軸Ｏの中央部５３に設けたことを特徴としている。
【００１１】
このような構成によれば、棧部材５ａ，５ｂ本体中央部５３の幅の狭い谷部分に低圧領域が形成されて剥離を抑制するために、グリル後流の渦の幅（後流幅）が流入角度によらず小さくなり、全体の空気流を安定させるので、グリル部に対する空気の流入角度が変化してもグリル部での剥離を小さく抑えて、グリル部の空気抵抗を可能な限り低く抑え、空力騒音の発生を効果的に低減させる。
【００１２】
（２）  第２の課題解決手段
この発明の第２の課題解決手段は、上記第１の課題解決手段の構成において、幅の広い部分は、断面楕円形状となっていることを特徴としている。
【００１３】
このような構成によると、グリル部に対する空気の流入角度が多少変わっても、先端部５１で流れが剥離することなく、安定した騒音抑制効果が得られる。
【００１４】
（３）  第３の課題解決手段
この発明の第３の課題解決手段は、上記第１又は第２の課題解決手段の構成において、前後両端５１，５２側の幅の広い部分と中央部側の幅の狭い部分とは、全体として断面形状がピーナツ形であることを特徴としている。
【００１５】
このような構成によれば、棧部材５ａ，５ｂ本体中央部５３両側の幅の狭い谷部分に低圧領域が形成されて剥離を抑制するために、グリル後流の渦の幅（後流幅）が流入角度によらず小さくなり、全体の空気流を安定させるので、グリル部に対する空気の流入角度が変化してもグリル部での剥離を小さく抑えて、グリル部の空気抵抗を可能な限り低く抑え、空力騒音の発生を効果的に低減させる。
【００１６】
（４）  第４の課題解決手段
この発明の第４の課題解決手段は、上記第１，第２又は第３の課題解決手段の構成において、ファンガードグリルは、合成樹脂製のものであって、二分割金型１１，１２により一体成形されていることを特徴としている。
【００１７】
このように、ファンガードグリルを合成樹脂製とし、二分割金型１１，１２により一体成形するようにすると、従来と略変わらない安価なコストで、容易に製造することができる。
【発明の効果】
【００１８】
以上の結果、本願発明の送風機のファンガードグリルによると、空気の流入角度が多少変わっても、前端部で流れが剥離することなく全体として安定した流れとなり、後流渦も小さい。したがって、有効な騒音抑制効果が得られる。
【００１９】
また、構造は簡単で、従来と略変わらない低コストで、容易に製造することができる。
【発明を実施するための最良の形態】
【００２０】
図１〜図８は、一例として空気調和機用室外機に適用した本願発明の最良の実施の形態に係る送風機のファンガードグリルの構成を示している。
【００２１】
（１）  空気調和機用室外機の構成
先ず図１および図２は、空気調和機用室外機の基本的な構成を示している。
【００２２】
例えば図１および図２に示すように、本実施の形態の空気調和機用室外機（室外機ユニット）１は、箱型のケーシング１ａと、該ケーシング１ａの内部に設けられた熱交換器３と、該熱交換器３の前方に位置して設けられた送風用のファン４と、該ファン４の外周を囲むベルマウス８と、上記熱交換器３およびファン４の一側方に設けられた機械室７と、上記熱交換器３の背後に設けられた空気吸込口２ｂと、上記ファン４の前方に設けられた空気吹出口２ａと、該空気吹出口２ａに嵌装された円形グリル構造のファンガードグリル５とから構成されている。
【００２３】
ファン４は、例えばプロペラファンにより構成され、その羽根部４ｂの基部側ハブ４ａに対して後方側からファンモータ６の駆動軸が連結され、同ファンモータ６によって回転駆動されるようになっている。
【００２４】
上記ファンガードグリル５部分は、本実施の形態の場合、例えば図１に示すように、全体として正円形状をなし、同心円状の複数本の棧部材５ａ，５ａ・・・を相互に所定の間隔を保って中央部側から半径方向外方に配設し、それらを放射方向に延びる連結用棧部材５ｂ，５ｂ・・（特許請求の範囲では、上記同心円状の棧部材５ａ，５ａ・・・とともに該連結用棧部材５ｂ，５ｂ・・をも含む意味で棧部材と称している）で連結固定して構成されている。
【００２５】
そして、上記同心円状の複数本の棧部材５ａ，５ａ・・・は、例えば図３〜図５に示すような断面ピーナツ形の次のような構造に形成されている。
【００２６】
すなわち、同棧部材５ａ，５ａ・・・は、それぞれファン４からの空気流の吹出し方向に垂直な断面形状に関して、同断面形状内で最大寸法になる長さ方向を基準軸Ｏ、同基準軸Ｏと直交する方向の寸法を幅としたとき、幅の広い部分と狭い部分とを有し、幅の広い部分を基準軸Ｏの前後両端５１，５２側に近い部分に設ける一方、幅の狭い部分を基準軸Ｏの中央部５３に設けた構造としている。
【００２７】
このような構成によれば、棧部材５ａの本体中央部５３の幅の狭い凹面状の谷部分に図６のような内側に巻き込まれる渦が生じる低圧領域が形成されて空気流の剥離を抑制するために、グリル後流の渦の幅（後流幅）が空気の流入角度によらず小さくなり、全体の空気流を安定させるので、ファンガードグリル５に対する空気の流入角度が変化しても、棧部材５ａ，５ａ・・・部分での剥離を小さく抑えて、ファンガードグリル５の空気抵抗を可能な限り低く抑え、空力騒音の発生を効果的に低減させる。
【００２８】
しかも、同棧部材５ａ，５ａ・・・の前後両端５１，５２の幅の広い部分は、それぞれ第１，第２の断面楕円形状となっており、特に空気流上流側の前端５１部分の第１の断面楕円形状は、後端５２側の第２の断面楕円形状よりも偏平率が大きい曲面に形成されている。この場合、偏平率とともに前後両端５１，５２の両側の曲率Ｒ1，Ｒ2をも適切に変えて、中央部５３両側の谷部に対して滑らかに連続する曲面形状とすることが好ましい。
【００２９】
したがって、このような構成によると、ファンガードグリル５に対する空気の流入角度が多少変わっても、前端部５１（および後端部５２）で流れが剥離することなく安定した騒音抑制効果が得られる。
【００３０】
すなわち、以上のようなファンガードグリルの構成によると、空気の流入角度が多少変わっても、先端部で流れが剥離することなく常に全体として安定した流れとなり、後流渦も小さい。したがって、有効な騒音抑制効果が得られる。
【００３１】
なお、図３〜図５の形態の内、さらに詳細に言うと、図４のものは前端５１側の断面形状が、円弧と楕円の一部との組み合わせよりなり、全体として略楕円形状となったもの、また図５のものは前端５１側の幅ａと後端５２側の幅ｂを変え、ａ＞ｂの関係としたものである。
【００３２】
図５の場合、特許文献２の場合と同様の作用も得られることになる。
【００３３】
（２）  空力騒音低減効果
図７は、上記図３の構成の棧部材５ａを用いて図１のような円形のファンガードグリル５を形成した場合と従来の断面楕円形の棧部材を用いて図１のような円形のファンガードグリル５を形成した場合（水平／傾斜の２例）とのグリル部への空気流入角（０°〜５０°）に対応した通風抵抗の大きさ（測定値：０°の時を１００とする）を対比したグラフである。
【００３４】
この図７のグラフからも明らかなように、本願発明の実施例の棧部材５ａの場合、空気の流入角が０°〜５０°の範囲で変化しても、その略全範囲において有効に対応することができ、どの範囲でも従来例のものに比べて通風抵抗が小さくなっていることが分る。
【００３５】
このことは、０°〜５０°の広い空気流入角の何れに対しても有効な空力騒音低減効果を発揮し得ることを示している。
【００３６】
（３）  製造方法
次に図８は、上記本願発明の最良の実施の形態のファンガードグリル用棧部材５ａの製造方法を示している。
【００３７】
図示のように、本願発明の棧部材５ａ，５ａ・・・を備えたファンガードグリル５は、その構造が簡単であり、合成樹脂材を用いて、例えば二分割金型１１，１２により容易に成形することができる。したがって、従来と略変わらない安価なコストで、容易に製造することができる。
【００３８】
この場合、できればファンの中心から軸対象（同心円状グリル）又は面対象（直線グリル）の形状にすると良い。
【００３９】
（変形例１）
さらに、図９は上記図２〜図６の本願発明の最良の実施の形態の変形例に係る空気調和機用室外機のファンガードグリルの棧部材５ａの構成を示している。
【００４０】
この変形例では、図９のように棧部材５ａの中央部５３の片面側にのみ凹面部を形成することにより、上記図１〜図６のものと同様に、ファン４からの空気流の吹出し方向に延びるファンガードグリル５の棧部材５ａの断面形状に関し、同断面形状内で最大寸法になる長さ方向部分を基準軸Ｏ、同基準軸Ｏと直交する方向の寸法を幅としたとき、幅の広い部分と狭い部分とを有し、幅の広い部分を基準軸Ｏの前後両端５１，５２に近い部分に設ける一方、幅の狭い部分を基準軸Ｏの中央部５３に設けた構成としており、前後両端５１，５２の幅の広い部分は、それぞれ略断面楕円形状となっている。
【００４１】
したがって、このような構成によれば、少なくとも棧部材５ａの一側面側ではグリル本体中央部の幅の狭い部分５３に低圧領域が形成されて剥離を抑制するために、グリル後流の渦の幅（後流幅）が空気流入角度によらず小さくなり、全体の空気流を安定させるので、やはりグリル部に対する空気の流入角度が変化してもグリル部での剥離を小さく抑えて、グリル部の空気抵抗を可能な限り低く抑え、空力騒音の発生を効果的に低減させることができる。
【００４２】
また、グリル部に対する空気の流入角度が多少変わっても、断面楕円形状の先端部５１により、流れが剥離することなく安定した騒音抑制効果を得ることができる。
【００４３】
（変形例２）
さらに、図１０は上記図１の本願発明の最良の実施の形態の円形のファンガードグリル５の形態を方形構造に変形した変形例２に係る空気調和機用室外機のファンガードグリルの構成を示している。
【００４４】
このような方形のグリル構造のファンガードグリル５においても、上記図３〜図６のものと全く同様の棧部材５ａを用いて同様の作用を得ることが可能である。
【００４５】
（変形例３）
なお、以上の説明では、上記同心円状の複数本の棧部材５ａ，５ａ・・・について図３〜図５、図８，図９に示すような構造に形成するように説明したが、もちろん上記連結用の棧部材５ｂ，５ｂ・・についても、同様の構造を採用することができることは言うまでもない。
【００４６】
（その他の実施の形態）
また、以上の実施の形態では、本願発明の送風機のファンガードグリルを、一例として空気調和機用室外機に適用した場合について説明したが、同本願発明のファンガードグリルは、それ以外の各種の送風機、例えば換気扇や扇風機などにも全く同様に適用することが可能である。
【図面の簡単な説明】
【００４７】
【図１】本願発明の最良の実施の形態に係る空気調和機用室外機の斜視図である。
【図２】同空気調和機用室外機およびファンガードグリル要部の水平断面図（一部拡大図との組合せで表現）である。
【図３】同空気調和機用室外機のファンガードグリル部の棧部材部分の基本構成を示す拡大断面図である。
【図４】同ファンガードグリルの棧部材部分の基本的な断面形状を示す説明図である。
【図５】同ファンガードグリルの棧部材部分の前端部と後端部の寸法関係を示す説明図である。
【図６】同ファンガードグリルの棧部材部分の空気流に対する作用を示す説明図である。
【図７】本願発明の最良の実施の形態のピーナツ形棧部材と従来の楕円形棧部材（水平タイプ／傾斜タイプの２つ）との空気流に対する通風抵抗を空気流入角０°〜５０°の範囲で対比したグラフである。
【図８】同最良の実施の形態のファンガードグリルの製造方法を示す断面図である。
【図９】同最良の実施の形態のファンガードグリルの棧部材の変形例の構成を示す断面図である（ハッチング省略）。
【図１０】同最良の実施の形態のファンガードグリルの形状の変形例の構成を示す斜視図である。
【符号の説明】
【００４８】
１は空気調和機用室外機、１ａは本体ケーシング、５はファンガードグリル、５ａはファンガードグリル５のグリル形成用棧部材、５ｂは同連結用棧部材、５１は前端部、５２は後端部、５３は中央部、ａは前端部５１の幅、ｂは後端部５２の幅である。
【図１】
2007147169.tif 000003
【図２】
2007147169.tif 000004
【図３】
2007147169.tif 000005
【図４】
2007147169.tif 000006
【図５】
2007147169.tif 000007
【図６】
2007147169.tif 000008
【図７】
2007147169.tif 000009
【図８】
2007147169.tif 000010
【図９】
2007147169.tif 000011
【図１０】
2007147169.tif 000012